(57)【特許請求の範囲】
【請求項１】
サーバを介して通信端末から受信端末に対して送信データを送信するデータ通信システムであって、
前記通信端末は、
前記サーバのテンプレート提供用データベースに記憶されているテンプレートデータを取得する機能と、
取得した前記テンプレートデータに対して変更処理又は編集処理を加えることによって前記送信データを生成する機能と、
前記受信端末宛ての前記送信データを前記サーバに送信する機能とを具備し、
前記サーバは、
前記テンプレートデータを記憶するテンプレート提供用データベースと、
通信のトラフィックが過大である場合、電波環境が不良である場合、又は、前記受信端末の電源のオフによって通信が不可能である場合、前記受信端末に割り当てられた領域に前記送信データを蓄積するデータ蓄積用データベースとを具備することを特徴とするデータ通信システム。
【請求項２】
前記受信端末は、前記データ蓄積用データベース上の前記受信端末に割り当てられた領域から前記送信データを取得する機能を具備することを特徴とする請求項１に記載のデータ通信システム。
【請求項３】
前記テンプレートデータは、ＢＧＭ又はカラオケ用の音声データであり、
前記通信端末は、前記音声データに対して該通信端末の操作者の音声を重畳することによって、前記送信データを生成することを特徴とする請求項１又は２に記載のデータ通信システム。
【請求項４】
前記テンプレートデータは、背景画像データであり、
前記通信端末は、前記背景画像データに対して該通信端末の操作者の人物画像を加える画像処理を行うことによって、前記送信データを生成することを特徴とする請求項１又は２に記載のデータ通信システム。
【請求項５】
テンプレート提供用データベース及びデータ蓄積用データベースを含むサーバを用いて行われるデータ通信方法であって、
通信端末が、前記テンプレート提供用データベースに記憶されているテンプレートデータを取得する工程と、
前記通信端末が、取得した前記テンプレートデータに対して変更処理又は編集処理を加えることによって送信データを生成する工程と、
前記通信端末が、受信端末宛ての前記送信データを、前記サーバに送信する工程と、
通信のトラフィックが過大である場合、電波環境が不良である場合、又は、前記受信端末の電源のオフによって通信が不可能である場合、前記サーバが、前記データ蓄積用データベース上の前記受信端末に割り当てられた領域に、前記送信データを蓄積する工程とを有することを特徴とするデータ通信方法。
【請求項６】
前記受信端末が、前記データ蓄積用データベース上の前記受信端末に割り当てられた領域から、前記送信データを取得する工程をさらに有することを特徴とする請求項５に記載のデータ通信方法。
【発明の詳細な説明】
【０００１】
【発明の属する技術分野】
この発明は、特に移動通信や有線におけるテンプレートを用いたデータ通信に適したデータ通信システムに関するものである。
【０００２】
【従来の技術】
従来の技術においては、データの変更機能及びネットワークへのデータ送受信機能を具備した通信端末、またはデータの変更機能が可能な演算装置を接続し、受信データを当該演算装置に送信する機能を具備し、当該演算装置から変更したデータを受信しネットワークへのデータ送受信機能を具備した通信端末が知られる。従来は、これら通信端末でそれぞれ保持される、通信のもととなる定型データ、いわゆるテンプレートを用いて送受信・蓄積用のデータを構成するようにしていた。
【０００３】
また、従来はテンプレートを管理し一括して提供するものが存在せず、さらには通信事業者によるテンプレートの提供および通信データの蓄積サービスの提供は全く成されておらず、これらの提供のための環境は全く整備されていない状況にあった。
【０００４】
【発明が解決しようとする課題】
しかしながら、従来の技術においては、各通信端末でテンプレートが保持、管理されていることから当該テンプレートの更新に際しては、その更新作業は煩雑でありかつ徹底させるためには困難を伴う等のテンプレートに関する問題点があり、かつテンプレートを保持管理している各通信端末と、通信を提供している通信事業者とがそれぞれ異なることから使用上の利便が図られていないという問題点があった。
【０００５】
本発明は、上記課題に鑑みてなされたもので、テンプレートの更新等の管理を容易にし、かつ最新のテンプレートの提供を迅速に行い得るデータ通信システムを提供することを目的とする。
【０００６】
【課題を解決するための手段】
前述した目的を達成するために、本発明の第1の特徴は、データの送受信機能を具備した通信端末を介して、ネットワークに接続されるサーバ若しくは他の通信端末との間でデータの送受信を行うデータ通信システムであって、前記サーバが前記通信端末との間または前記通信端末同士の間で送受信を行う際のもととなるデータを提供することを要旨とする。
【０００７】
本発明の第1の特徴では、各通信端末は最新のテンプレートを容易かつ速やかに入手することが可能となる。
【０００８】
また、本発明の第２の特徴は、データの送受信機能を具備した通信端末を介して、ネットワークに接続されるサーバ若しくは他の通信端末との間でデータの送受信を行うデータ通信システムであって、前記サーバは、前記通信端末との間または前記通信端末同士の間で送受信を行う際のもととなるデータを提供すると共に前記通信端末間での直接の通信が不可能な場合には、各通信端末用に割り当てられた保管領域に蓄積することを要旨とする。
【０００９】
本発明の第２の特徴では、例えば通信のトラヒックや無線通信における電波環境、あるいは端末の電源のオフによって、通信が不可能な場合であっても、各通信端末用に割り当てられた保管領域に、データ処理機能によって変更、編集等の処理の加えられたデータが保管、蓄積されることから通信品質をより向上せしめることが可能となる。
【００１０】
また、本発明の第３の特徴は、上述の通信端末が、前記送受信を行う際のもととなるデータの変更を行うためのデータ処理機能を備え、または前記送受信を行う際のもととなるデータの変更を行うためのデータ処理機能を具備するデータ処理端末と接続されていることを要旨とする。
【００１１】
本発明の第３の特徴では、提供されたもととなるデータの変更を行うデータ処理機能が通信機能と一体に構成されているものであっても良く、あるいは分離され、必要に応じて有線、無線（赤外線等を含む）で接続されるものであっても良いことから優れた携帯性を得ることが可能となる。
【００１２】
また、本発明の第４の特徴は、上述の送受信を行う際のもととなるデータが、少なくとも画像データと音声データおよびテキストデータのいずれかであることを要旨とする。
【００１３】
本発明の第４の特徴では、例えば各種帳票のフォーマット等のテキストデータの他、季節毎の背景画像、あるいは各種キャラクタ等を含む額縁画像等の画像データや、ＢＧＭあるいはカラオケ用の音声データをテンプレートとして提供することができる。
【００１４】
【発明の実施の形態】
以下、図面を用いて本発明の実施の形態について説明する。
【００１５】
図１は本発明の一実施の形態に係るデータ通信システムの構成を示すブロック図である。
【００１６】
同図に示すデータ通信システムは、テンプレート提供用のデータベース１Ａとデータ蓄積用のデータベース１Ｂとを有するサーバ１と、このサーバ１とネットワーク３および基地局５とを介して無線回線を介して接続される無線通信端末７と携帯型データ処理装置９、およびネットワーク３と有線回線を介して接続されるデータ処理端末１１とデータ処理装置１３により構成される。なお、携帯型データ処理装置９は無線通信端末９ａとデータ処理端末９ｂにより構成され、データ処理装置１３は有線通信端末１３ａとデータ処理端末１３ｂにより構成され、それぞれはケーブル等の有線により、または赤外線等を含む無線により適宜、接続される。
【００１７】
なお、無線通信端末７は携帯型データ処理装置９の無線通信機能とデータ処理機能を一体に備え、データ処理端末１１はデータ処理装置１３の有線通信機能とデータ処理機能を一体に備えているものである。また、データ処理機能と供給されたテンプレート等のデータを変更、編集等のデータ処理する機能である。
【００１８】
次に本実施形態に係るデータ通信システムの動作について説明する。
まず、無線通信端末７、携帯型データ処理装置９、データ処理端末１１およびデータ処理装置１３は、他の無線または有線端末等にデータを送るにあたり、当該通信端末７，９に当初から記憶されているテンプレートまたはテンプレート提供用のデータベース１Ａから予め取得し、記憶した最新のテンプレートまたはその時点で必要なテンプレートをデータベース１Ａに適宜、接続して取得する。
【００１９】
通信端末７，９の操作者は、上記入手したテンプレートをそのまま、または端末の持つデータ変更機能を用いて変更、編集等の処理を加えて送信データに加工する。これにより当該操作者は、この送信データを直接他の端末に送信することができる。
【００２０】
ここで、テンプレートによるデータとは文字情報、イメージ、映像、音声、音楽、アプリケーション用ファイル等、どのようなデータであっても良い。例えば、各種帳票のフォーマットの場合には帳票にデータの記入や表計算を施したデータであり、季節毎の背景画像である場合にはこの背景画像に対して画像処理を行う他、この背景画像を背景として人物等の画像を加えた画像データであり、各種キャラクタ等を含む額縁画像である場合にはさも当該キャラクタと並んで写真撮影を行ったかのような写真様の画像データであり、さらにＢＧＭあるいはカラオケ用の音声データの場合には、これら音声データに操作者の音声を畳重した音声データである。
【００２１】
データ蓄積用のデータベース１Ｂには、通信のトラヒックが過大である場合や無線通信における電波環境が不良である場合、あるいは端末の電源のオフによって通信が不可能な場合に、端末間で直接データのやり取りができない場合に、データ蓄積用のデータベース１Ｂ上でユーザにそれぞれ割り当てた領域にデータを格納し、受信すべき端末がサーバにアクセスするようにすることにより、確実にデータを取得させることが可能となる。
【００２２】
上述したように、本発明においては、テンプレートを提供している者と通信を提供している者と保管を実施している者を同一とするもしくはそれぞれの管理は別業者としてもシステムの構築を１社で実施するようにした。例えば、従来はテンプレートを提供する者としては個人や企業があり、通信を提供するものとしては第一種通信事業者があり、保管を実施するものとしてはプロバイダがある。
【００２３】
これらを本発明により、テンプレートを提供している者と通信を提供している者と保管を実施している者を、例えば第一種通信事業者として、同一とすることが可能となり、使用上の利便を図ることができる。これは、それぞれの管理は別業者として、システムの構築をプロバイダ等の１業者またはそれに準じる形態で実施した場合であっても、同様な使用上の利便を図ることができる。
【００２４】
【発明の効果】
以上説明したように、本発明は、サーバが前記通信端末との間または前記通信端末同士の間で送受信を行う際のもととなるデータを提供するので、テンプレートを提供している者と通信を提供している者と保管を実施している者とを同一とすることが可能となり、使用上の利便を図ることができる。
【図面の簡単な説明】
【図１】本発明に係るデータ通信システムの一実施形態の概略の構成を示すブロック図である。
【符号の説明】
１  サーバ
１Ａ  データベース（テンプレート提供用）
１Ｂ  データベース（データ蓄積用）
３  ネットワーク
５  基地局
７  無線通信端末
９  携帯型データ処理装置
９ａ  無線通信端末
９ｂ  データ処理端末
１１  データ処理端末
１３  データ処理装置
１３ａ  有線通信端末
１３ｂ  データ処理端末
【図１】
0003571206.tif 000002